(57)【要約】【課題】  作業者に操作されるハンディターミナルが、対応した親機と組み合わされたときにのみ、作業者により入力されたコマンドに従い動作を行う、無線検針システムおよび無線検針用ハンディターミナルを提供する。【解決手段】需要家に設置されている計量器１０７，１０８，１０９，１１０の検針データを無線電波にて送信する子機１０３，１０４，１０５，１０６と、当該子機との間で無線通信を行う親機１０２と、当該親機と通信を行うハンディターミナルとからなる無線検針システムにおいて、親機１０２に個別の親機識別コードをもたせ、当該親機識別コードがハンディターミナル１０１の持つＨＴ識別コードに対応するコードでない場合には、ハンディターミナル１０１が作業者により入力されたコマンドに従い動作しないようにした。【選択図】  図１
2010108417.tif 000002
【特許請求の範囲】
【請求項１】
送信された第一の識別コードを受信する第一の通信手段と、
前記第一の通信手段により受信された第一の識別コードが予め付与された第二の識別コー
ドと対応するかの判断を行う判断手段と、
前記判断手段により、前記第一の識別コードが前記第二の識別コードと対応すると判断さ
れた場合には、使用量に関するデータを受信するよう指示するコマンドを送信し、使用量
に関するデータを受信するよう前記第一の通信手段を制御する第一の制御手段と
を具備した無線検針用ハンディターミナルと、
予め設定された前記第一の識別コードを送信し、前記無線検針用ハンディターミナルの第
一の通信手段から送信された使用量に関するデータを受信するよう指示する前記コマンド
を受信する第二の通信手段と、
無線信号を送受信する第一の無線通信手段と、
前記第二の通信手段が使用量に関するデータを受信するよう指示する前記コマンドを受信
した場合に、使用量に関するデータを受信するよう前記第一の無線通信手段を制御し、使
用量に関するデータを前記第二の通信手段から前記無線検針用ハンディターミナルの第一
の通信手段に対し送信するよう制御する第二の制御手段と
を具備した親機と、
使用電力、使用ガス、使用水のうちの少なくとも一つの使用量を検出する検出手段と、
前記検出手段により検出された使用量を、使用量に関するデータとして無線にて、前記親
機の第一の無線通信手段に対し送信する第二の無線通信手段と
を具備したデータ送信装置と
を有することを特徴とする無線検針システム。
【請求項２】
前記無線検針用ハンディターミナルは、使用量に関するデータを出力する出力手段を具
備し、
前記判断手段により、前記第一の識別コードが前記第二の識別コードと対応すると判断さ
れた場合に、前記第一の制御手段が前記出力手段に使用量に関するデータを出力するよう
制御することを特徴とする請求項１記載の無線検針システム。
【請求項３】
前記無線検針用ハンディターミナルの第一の通信手段は無線電波通信手段であり、前記親
機の第二の通信手段は無線電波通信手段であることを特徴とする請求項１乃至２のいずれ
か１項記載の無線検針システム。
【請求項４】
前記無線検針用ハンディターミナルの第一の通信手段はブルートゥース規格に従った無線
電波通信回路からなり、前記親機の第二の通信手段はブルートゥース規格に従った無線電
波通信回路からなることを特徴とする請求項１乃至２のいずれか１項記載の無線検針シス
テム。
【請求項５】
前記親機は、前記無線検針用ハンディターミナルに予め設定された前記第二の識別コード
を取得する取得手段と、
前記取得手段により取得された前記第二の識別コードが、前記第一の識別コードと対応す
るかの判断を行う識別手段と、
前記識別手段により前記第二の識別コードが前記第一の識別コードと対応すると判断され
た場合は動作状態に、前記第二の識別コードが前記第一の識別コードと対応しないと判断
された場合は非動作状態に制御される電源部と
を具備したことを特徴とする請求項１乃至４のいずれか１項記載の無線検針システム。
【請求項６】
作業者により動作コマンドが入力される操作部と、
外部から無線信号にて送信される第一の識別コードを受信する無線通信手段と、
前記無線通信手段により受信された前記第一の識別コードが予め付与された第二の識別コ
ードと対応するかの判断を行うコード判断手段と、
前記コード判断手段により、前記第一の識別コードが前記第二の識別コードと対応すると
判断された場合には、前記操作部から入力された動作コマンドに従い動作を実行し、前記
第一の識別コードが前記第二の識別コードと対応しないと判断された場合には、前記操作
部から入力された動作コマンドを無視するよう制御する制御手段と
を具備したことを特徴とする無線検針用ハンディターミナル。
【請求項７】
前記無線通信手段は、ブルートゥース規格に従った無線電波通信回路からなることを特徴
とする請求項１０１記載の無線検針用ハンディターミナル。
【請求項８】
前記操作部から入力がされない時間を計時する計時手段と、
前記計時手段により計時された時間が、予め設定された一定値を超過したかを判断する時
間判断手段と、
前記計時手段により計時された時間が、予め設定された一定値を超過したと前記時間判断
手段により判断された場合は、前記操作部から入力された動作コマンドを前記制御手段が
無視するよう制御することを特徴とする請求項６乃至７のいずれか１項記載の無線検針用
ハンディターミナル。
【発明の詳細な説明】
【技術分野】
【０００１】
本発明は被測定系の電力、ガス、水道等の使用量を検針する無線検針システムに関する
。
【背景技術】
【０００２】
従来より、一般家庭や工場、事業所の電力、ガス、水道等の使用量を検針する無線検針
システムが普及してきている。当該無線検針システムは被測定系の使用量を測定する使用
量検出手段と、使用量検出手段で検出された使用量データを特定小電力無線にて通信する
無線子機と、無線子機から特定小電力無線にて送信された使用量データを受信しブルート
ゥース規格に従った無線に変換して通信する無線親機と、無線親機からブルートゥース規
格に従った無線にて送信された使用量データを受信するハンディターミナルとから構成さ
れている。（例えば特許文献１）
【特許文献１】特開２００４−３４８３７７公報（第１０頁、図１）
【発明の開示】
【発明が解決しようとする課題】
【０００３】
近年、電気、ガス、水道の無線検針が行われるようになってきた。当該無線検針にはハン
ディターミナルが用いられるが、当該ハンディターミナルは持ち運ぶことが可能であり、
使用者が置き忘れることも考えられる。当該ハンディターミナルには需要者の電気、ガス
、水道の検針データが記憶されており当該記憶されているデータを解析すれば需要者の不
在等を判別することも可能であり、データのセキュリティを向上させることが必要である
。また、第三者が当該ハンディターミナルをデータ改ざん等の不正目的で操作することも
考えられる。従来の無線検針システムにおいて、ハンディターミナルを検針員等以外の第
三者でも操作することが可能であるという問題点があった。
【０００４】
本発明は前記問題点に鑑み、作業者により操作されるハンディターミナルが、対応した
親機と組み合わされたときにのみ、作業者により入力されたコマンドに従い動作を行う、
無線検針システムおよび無線検針用ハンディターミナルを提供することを目的とする。
【課題を解決するための手段】
【０００５】
上記目的を達成するために、本発明による無線検針システムは、送信された第一の識別コ
ードを受信する第一の通信手段と、前記第一の通信手段により受信された第一の識別コー
ドが予め付与された第二の識別コードと対応するかの判断を行う判断手段と、前記判断手
段により、前記第一の識別コードが前記第二の識別コードと対応すると判断された場合に
は、使用量に関するデータを受信するよう指示するコマンドを送信し、使用量に関するデ
ータを受信するよう前記第一の通信手段を制御する第一の制御手段とを具備した無線検針
用ハンディターミナルと、予め設定された前記第一の識別コードを送信し、前記無線検針
用ハンディターミナルの第一の通信手段から送信された使用量に関するデータを受信する
よう指示する前記コマンドを受信する第二の通信手段と、無線信号を送受信する第一の無
線通信手段と、前記第二の通信手段が使用量に関するデータを受信するよう指示する前記
コマンドを受信した場合に、使用量に関するデータを受信するよう前記第一の無線通信手
段を制御し、使用量に関するデータを前記第二の通信手段から前記無線検針用ハンディタ
ーミナルの第一の通信手段に対し送信するよう制御する第二の制御手段とを具備した親機
と、使用電力、使用ガス、使用水のうちの少なくとも一つの使用量を検出する検出手段と
、前記検出手段により検出された使用量を、使用量に関するデータとして無線にて、前記
親機の第一の無線通信手段に対し送信する第二の無線通信手段とを具備したデータ送信装
置とを有することを特徴とする。
【発明の効果】
【０００６】
本発明によれば、作業者により操作されるハンディターミナルが、対応した親機と組み
合わされたときにのみ、作業者により入力されたコマンドに従い動作を行う、無線検針シ
ステムおよび無線検針用ハンディターミナルを提供することができる。
【発明を実施するための最良の形態】
【０００７】
以下、本発明の実施例を説明する。
【０００８】
［実施例１］
本発明による無線検針システムの実施例１について図１を参照して説明する。
【０００９】
本無線検針システム１００は一例としてハンディターミナル１０１、親機１０２、子機
１０３、１０４、１０５、１０６、計量器１０７、１０８、１０９、１１０からなるもの
とする。ハンディターミナル１０１ならびに親機１０２は可搬式であり、検針員等の作業
者により持ち運ばれる。
【００１０】
１０１はハンディターミナルで、市販のハンディターミナル、ポケットコンピュータ、パ
ーソナルコンピュータがこれに該当する。ハンディターミナル１０１の内部構成を図２に
示す。
【００１１】
２０１は操作部でキーボードスイッチ等により構成されており、作業者により外部から操
作される。
【００１２】
２０２は表示部で液晶表示装置等により構成されており、作業者により操作部２０１から
入力されたコマンドや計量器から収集された検針データを表示する。
【００１３】
２０３は無線通信部でブルートゥース規格に従った無線電波送受信回路や特定小電力無線
等の無線電波送受信回路により構成されており、後述する制御部２０６に制御され、親機
１０２との間で電波の送受信を行う。なお、本構成例では無線通信を行う無線通信部とし
たが、ＲＳ２３２Ｃ等の有線通信を行う通信回路により構成されていてもよい。
【００１４】
２０４は記憶部でＲＡＭのような半導体メモリにより構成されており、後述する制御部２
０６により制御され、親機１０２を介して無線通信部２０３が受信した計量器１０７、１
０８、１０９、１１０にかかる検針データならびに予め設定されたＨＴ識別コードを記憶
する。
【００１５】
２０５は電源部で、リチウム電池等を有する電源回路により構成されており、ハンディタ
ーミナル１０１内の各部に電源電圧を供給する。
【００１６】
２０６は制御部で、マイクロコンピュータ等により構成されており、操作部２０１から入
力されたコマンドに応じ、表示部２０２の表示動作、無線通信部２０３の通信動作、記憶
部２０４の記憶動作等の動作を制御する。
【００１７】
また制御部２０６は、操作部２０１からＨＴ識別コード送信を指示するコードが入力され
たと判断した場合、記憶部２０４に予め設定されているＨＴ識別コードを無線通信部２０
３から送信するよう制御する。さらに制御部２０６は、親機１０２から受信した親機識別
コードと記憶部２０４に予め設定されているＨＴ識別コードが対応するかの判断を行い、
対応すると判断した場合、操作部２０１から入力されたコマンドに従い動作する。一方、
制御部２０６は、親機１０２から受信した親機識別コードと記憶部２０４に予め設定され
ているＨＴ識別コードが対応しないと判断した場合、操作部２０１から入力されたＨＴ識
別コード送信を指示するコード以外のコマンドを無視し動作しない。
【００１８】
親機１０２の親機識別コードと記憶部２０４に予め設定されているＨＴ識別コードが対応
すると判断された場合であって、操作部２０１から検針動作を指示するコマンドが入力さ
れたと判断された場合、制御部２０６は、無線通信部２０３から検針データ送信を指示す
るコマンドを親機１０２に対し送信する。その後、制御部２０６は、親機１０２から送信
された、計量器１０７、１０８、１０９、１１０にかかる電力、ガス、水道等の使用量に
関する検針データを受信するよう無線通信部２０３を、当該検針データを記憶するよう記
憶部２０４を制御する。
【００１９】
また、親機１０２の親機識別コードと記憶部２０４に予め設定されているＨＴ識別コード
が対応すると判断された場合であって、操作部２０１から表示動作を指示するコマンドが
入力されたと判断された場合、制御部２０６は、計量器１０７、１０８、１０９、１１０
にかかる電力、ガス、水道等の使用量に関する検針データを表示するよう表示部２０２を
制御する。
【００２０】
１０２は親機で後述する各部により構成されており、計量器１０７、１０８、１０９、
１１０にかかる検針データを子機１０３、１０４、１０５、１０６を介し無線電波により
受信し、さらに、同検針データをハンディターミナル１０１に対し無線電波にて送信する
。親機１０２の内部構成を図3に示す。
【００２１】
３０１は無線通信部でブルートゥース規格に従った無線電波送受信回路や特定小電力無線
等の無線電波送受信回路により構成されており、後述する制御部３０６に制御され、ハン
ディターミナル１０１との間で電波の送受信を行う。なお、本構成例では無線通信を行う
無線通信部としたが、ＲＳ２３２Ｃ等の有線通信を行う通信回路により構成されていても
よい。
【００２２】
３０２は表示部で発光ダイオード等により構成されており、親機１０２とハンディターミ
ナル１０１間の通信状態、親機１０２と子機１０３、１０４、１０５、１０６間の通信状
態等を表示する。
【００２３】
３０３は無線通信部で特定小電力無線等の無線電波送受信回路により構成されており、後
述する制御部３０６に制御され、子機１０３、１０４、１０５、１０６との間で電波の送
受信を行う。
【００２４】
３０４は記憶部でＲＡＭのような半導体メモリにより構成されており、後述する制御部３
０６により制御され、子機１０３、１０４、１０５、１０６を介して無線通信部３０３が
受信した計量器１０７、１０８、１０９、１１０にかかる検針データを記憶する。
【００２５】
３０５は電源部で、リチウム電池等を有する電源回路により構成されており、親機１０２
内の各部に電源電圧を供給する。電源部３０５は動作／非動作を制御部３０６に制御され
る。
【００２６】
３０６は制御部で、マイクロコンピュータ等により構成されており、無線通信部３０１の
通信動作、表示部３０２の表示動作、無線通信部３０３の通信動作、記憶部３０４の記憶
動作、電源３０５の動作の制御を行う。
【００２７】
制御部３０６は無線通信部３０１が検針データ送信を指示するコマンドを受信したかの判
断を行い、受信したと判断した場合は無線通信部３０３から検針データ送信を指示するコ
マンドを子機１０３、１０４、１０５、１０６に対し送信する。その後、制御部３０６は
、子機１０３、１０４、１０５、１０６から送信された電力、ガス、水道等の使用量に関
する検針データを受信し、当該検針データを記憶部３０４に記憶させ、無線通信部３０１
を介し送信する。
【００２８】
また制御部３０６は、無線通信部３０１がハンディターミナル１０１のＨＴ識別コードを
受信したと判断した場合、記憶部３０４に予め設定されている親機識別コードを無線通信
部３０１から送出するよう制御する。さらに制御部３０６は受信したハンディターミナル
１０１のＨＴ識別コードと記憶部３０４に予め設定されている親機識別コードが対応する
かの判断を行い、対応すると判断した場合は電源３０５を動作させ、ハンディターミナル
１０１から送信されるコマンドに従い動作する。一方、受信したハンディターミナル１０
１のＨＴ識別コードと記憶部３０４に予め設定されている親機識別コードが対応しないと
判断した場合は、電源３０５を非動作とし、スタンバイ状態となる。なお電源３０５は、
無線通信部３０１によりハンディターミナル１０１からのＨＴ識別コードが受信された場
合に、非動作状態から動作状態へと移行する。
【００２９】
１０３、１０４、１０５、１０６は子機で後述する各部により構成されており、それぞ
れ計量器１０７、１０８、１０９、１１０からの検針データを受信し、計量器１０７、１
０８、１０９、１１０にかかる検針データを親機１０２に対し無線電波により送信する。
子機１０３の内部構成を図４に示す。なお子機１０４、１０５、１０６も同様の内部構成
となっている。
【００３０】
４０１は無線通信部で特定小電力無線等の無線電波送受信回路により構成されており、後
述する制御部４０６に制御され、親機１０２との間で電波の送受信を行う。
【００３１】
４０２は表示部で発光ダイオード等により構成されており、子機１０３と親機１０２間の
通信状態、子機１０３と計量器１０７間の通信状態等を表示する。
【００３２】
４０３は有線通信部でカレントループ等のインタフェース回路等により構成されており、
後述する制御部４０６に制御され、計量器１０７との間で通信を行う。
【００３３】
４０４は記憶部でＲＡＭのような半導体メモリにより構成されており、後述する制御部４
０６により制御され、計量器１０７から送信された検針データを記憶する。
【００３４】
４０５は電源部で、リチウム電池等を有する電源回路により構成されており、子機１０３
内の各部に電源電圧を供給する。
【００３５】
４０６は制御部で、マイクロコンピュータ等により構成されており、無線通信部４０１の
通信動作、表示部４０２の表示動作、有線通信部４０３の通信動作、記憶部４０４の記憶
動作の制御を行う。
【００３６】
制御部４０６は無線通信部４０１が検針データ送信を指示するコマンドを受信したかの判
断を行い、受信したと判断した場合は有線通信部４０３から検針データ送信を指示するコ
マンドを計量器１０７に対し送信する。その後、制御部４０６は、計量器１０７から送信
された電力、ガス、水道等の使用量に関する検針データを受信し、当該検針データを記憶
部４０４に記憶させ、無線通信部４０１を介し送信する。
【００３７】
１０７、１０８、１０９、１１０は計量器で後述する各部により構成されており、需要
家の電気、ガス、水道等の使用量を計量し検針データとして、それぞれ子機１０３、１０
４、１０５、１０６に対し送信する。計量器１０７の内部構成を図５に示す。なお計量器
１０８、１０９、１１０も同様の内部構成となっている。
【００３８】
５０１は有線通信部でカレントループ等のインタフェース回路等により構成されており、
後述する制御部５０６に制御され、子機１０３との間で通信を行う。
【００３９】
５０２は表示部で液晶表示装置等により構成されており、需要家にて使用された電気、ガ
ス、水道等の使用量にかかる検針データを表示する。
【００４０】
５０３は検出部で、需要家の電気使用量を測定する電力使用量測定装置、需要家のガス使
用量を測定するガス使用量測定装置、需要家の水道使用量を測定する水道使用量測定装置
等により構成されており、後述する制御部５０６に対し需要家にて使用された電気、ガス
、水道等の使用量にかかるデータを出力する。
【００４１】
５０４は記憶部でＲＡＭのような半導体メモリにより構成されており、後述する制御部５
０６により制御され、需要家にて使用された電気、ガス、水道等の使用量にかかる検針デ
ータを記憶する。
【００４２】
５０５は電源部で、リチウム電池等を有する電源回路により構成されており、計量器１０
７内の各部に電源電圧を供給する。
【００４３】
５０６は制御部で、マイクロコンピュータ等により構成されており、有線通信部５０１の
通信動作、表示部５０２の表示動作、記憶部５０４の記憶動作の制御を行う。制御部５０
６は検出部５０３で検出された電力、ガス、水道等の使用量にかかるデータを検針データ
に編集し、当該検針データを記憶部５０４に記憶させ、表示部５０２に表示させる。また
、制御部５０６は有線通信部５０１が検針データ送信を指示するコマンドを受信したかの
判断を行い、受信したと判断した場合は有線通信部５０１を介し検針データを送信する。
【００４４】
次に、本実施例の動作を図６に示すハンディターミナル１０１のプログラムフロー図を参
照しつつ説明する。本プログラムはハンディターミナル１０１の制御部２０６内の図示し
ないプログラムメモリ内に記憶され、制御部２０６の動作を制御している。
【００４５】
ハンディターミナル１０１は検針員等の作業者により持ち運ばれ、ハンディターミナル１
０１に予め設定されたＨＴ識別コードに対応した親機識別コードが設定された親機１０２
と組み合わされることにより、各需要家に設置された計量器の検針データを収集すること
ができる。ハンディターミナル１０１は、ハンディターミナル１０１に予め設定されたＨ
Ｔ識別コードに対応した親機識別コードが設定された親機と組み合わされていない場合、
作業者により検針動作、表示動作を指示するコマンドが入力されても動作をしない。親機
１０２は、検針員等の作業者がハンディターミナル１０１とともに検針時に持ち運べるよ
うにしてもよいし、検針の対象となる需要家に設置されている子機の近傍に取付けられる
ものであってもよい。例えば、マンション等の集合住宅の場合、多数の子機に対し１台の
親機をマンション入り口付近に取り付けておいてもよい。
【００４６】
まず、検針作業を開始する前に、検針員等の作業者によりハンディターミナル１０１と親
機１０２は組み合わされ、ハンディターミナル１０１の操作部１０２から、ＨＴ識別コー
ドの送信を指示するコードが入力される。ハンディターミナル１０１の制御部２０６は、
操作部２０１からＨＴ識別コードの送信を指示するコード入力があったかの判断を行う（
ステップ６０１）。
【００４７】
ＨＴ識別コードの送信を指示するコード入力があったと判断されなかった場合、制御部２
０６は当該コード入力があったかの判断を繰り返す。
【００４８】
ＨＴ識別コードの送信を指示するコード入力があったと判断された場合、制御部２０６は
記憶部２０４に記憶されているＨＴ識別コードを無線通信部２０３から、親機１０２に送
信する（ステップ６０２）。無線通信部２０３はブルートゥース規格に従った無線電波送
受信回路や特定小電力無線等の無線電波送受信回路により構成されており、制御部２０６
に制御され電波にてＨＴ識別コードを送信する。親機１０２の無線通信部３０１は、ブル
ートゥース規格に従った無線電波送受信回路や特定小電力無線等の無線電波送受信回路に
より構成されており、ハンディターミナル１０１の無線通信部２０３から電波にて送信さ
れたＨＴ識別コードを受信し、親機１０２の電源３０５を動作状態とする。その後、親機
１０２の制御部３０６は親機１０２の記憶部３０４に記憶されている親機識別コードを無
線通信部３０１から送信する。
【００４９】
電波にて送信された親機識別コードは、ハンディターミナル１０１の無線通信部２０３に
て受信される。制御部２０６は、無線通信部２０３にて受信された親機識別コードがＨＴ
識別コードに対応するかの判断を行う（ステップ６０３）。親機識別コードがＨＴ識別コ
ードに対応すると判断された場合、ハンディターミナル１０１の操作部２０１から作業者
により入力された各種コマンドを受付け、検針動作、表示動作を指示するコマンドに従っ
て動作を行う。
【００５０】
親機識別コードがＨＴ識別コードに対応しないと判断された場合、検針動作、表示動作を
指示するコマンドが入力されても、当該コマンドに従って動作をせず（ステップ６０６）
ＨＴ識別コードの送信を指示するコード入力があったかの判断に戻る（ステップ６０１）
。
【００５１】
なお、親機１０２の制御部３０６は、ハンディターミナル１０１の無線通信部２０３から
送出されたＨＴ識別コードと、親機１０２の記憶部３０４に記憶されている親機識別コー
ドが対応しなかった場合、低消費電力化のため電源３０５を非動作状態とする。
【００５２】
親機識別コードがＨＴ識別コードに対応すると判断された場合（ステップ６０３）、ハン
ディターミナル１０１の操作部２０１から作業者により入力された各種コマンドを受付け
、検針動作、表示動作を指示するコマンドに従って動作を行うが、制御部２０６は、操作
部２０１が操作されずに予め設定された一定時間を経過したかの判断を行う（ステップ６
０５）。操作部２０１が操作されずに一定時間を経過したと判断されない場合は、ステッ
プ６０２から６０４を繰り返す。
【００５３】
当該ステップ６０２から６０４を繰り返す動作により、ハンディターミナル１０１が対応
する親機識別コードが設定されていない親機と組み合わされた場合、ステップ６０３にて
対応する親機識別コードであると判断されないため、操作部２０１から検針動作、表示動
作を指示するコマンドが入力されても、当該コマンドに従って動作をせず（ステップ６０
６）ＨＴ識別コードの送信を指示するコード入力があったかの判断に戻る（ステップ６０
１）。
【００５４】
操作部２０１が操作されずに一定時間経過したと判断された場合は、検針動作、表示動作
を指示するコマンドが入力されても、当該コマンドに従って動作をせず（ステップ６０６
）ＨＴ識別コードの送信を指示するコード入力があったかの判断に戻る（ステップ６０１
）。
【００５５】
ハンディターミナル１０１の制御部２０６により、親機識別コードがＨＴ識別コードに対
応すると判断された場合（ステップ６０３）、制御部２０６は、作業者により操作部２０
１から入力された各種コマンドに従って動作を行う。
【００５６】
以下に例として、ハンディターミナル１０１の操作部２０１から作業者により検針動作を
指示するコマンドが入力された場合の動作を図１，２，３，４，５に基づき説明する。
【００５７】
ハンディターミナル１０１の操作部２０１から検針動作を指示するコマンドが入力された
と判断された場合、ハンディターミナル１０１の制御部２０６は、無線通信部２０３から
無線電波にて検針データ送信を指示するコマンドを親機１０２に対し送信する。    
次に、親機１０２の制御部３０６は、親機１０２の無線通信部３０１が無線電波にて検針
データ送信を指示するコマンドを受信したかの判断を行い、受信したと判断した場合は無
線通信部３０３から無線電波にて検針データ送信を指示するコマンドを子機１０３に対し
送信する。
【００５８】
次に、子機１０３の制御部４０６は、子機１０３の無線通信部４０１が無線電波にて検針
データ送信を指示するコマンドを受信したかの判断を行い、受信したと判断した場合は有
線通信部４０３から検針データ送信を指示するコマンドを計量器１０７に対し送信する。
【００５９】
計量器１０７の制御部５０６は、計量器１０７の検出部５０３で検出された電力、ガス、
水道等の使用量にかかるデータを検針データに編集し、当該検針データを記憶部５０４に
記憶させ、表示部５０２に表示させている。計量器１０７の制御部５０６は、有線通信部
５０１が検針データ送信を指示するコマンドを受信したかの判断を行い、受信したと判断
した場合は有線通信部５０１を介し検針データを送信する。
【００６０】
その後、子機１０３の制御部４０６は、計量器１０７から送信された電力、ガス、水道
等の使用量に関する検針データを有線通信部４０３を介し受信し、当該検針データを子機
１０３の記憶部４０４に記憶させ、無線通信部４０１を介し送信する。
【００６１】
親機１０２の制御部３０６は、子機１０３の無線通信部４０１から送信された計量器１
０７にかかる電力、ガス、水道等の使用量に関する検針データを無線受信部３０３を介し
受信し、当該検針データを親機１０２の記憶部３０４に記憶させ、無線通信部３０１を介
し送信する。
【００６２】
ハンディターミナル１０１の制御部２０６は、親機１０２の無線通信部３０１から送信さ
れた、計量器１０７にかかる電力、ガス、水道等の使用量に関する検針データを無線通信
部２０３を介して受信し、当該検針データを記憶部２０４に記憶させる。
【００６３】
以上、計量器１０７にかかる検針動作について述べたが、計量器１０８，１０９，１１０
についても同様の手順により検針動作が行われる。
【００６４】
ハンディターミナル１０１の制御部２０６により、親機識別コードがＨＴ識別コードに対
応すると判断された場合（ステップ６０３）、制御部２０６は、作業者により操作部２０
１から入力された各種コマンドに従って動作を行う。
【００６５】
以下に、例としてハンディターミナル１０１の操作部２０１から作業者により、表示動作
を指示するコマンドが入力された場合の動作を図２に基づき説明する。
【００６６】
ハンディターミナル１０１の操作部２０１から表示動作を指示するコマンドが入力された
と判断された場合、ハンディターミナル１０１の制御部２０６は、記憶部２０４に記憶さ
れている計量器１０７，１０８，１０９，１１０にかかる電力、ガス、水道等の使用量に
関する検針データを表示部２０２に表示させる。また、プリンタ（図中不示）に検針デー
タを印字させるようにしてもよい。
【００６７】
本実施例を用いれば、作業者により操作されるハンディターミナルが、対応した親機と組
み合わされたときにのみ、作業者により入力されたコマンドに従い動作を行う、無線検針
システムおよび無線検針用ハンディターミナルを提供することができる。
【００６８】
本実施例を用いれば、親機１０２に設定された親機識別コードがハンディターミナル１
０１に設定されたＨＴ識別コードに対応したコードである場合にのみ、ハンディターミナ
ル１０１は、作業者により入力されたコマンドに従って動作を行う。ハンディターミナル
１０１が単体で使用された場合や、対応する親機コードが設定されていない親機と組み合
わされて使用された場合、ハンディターミナル１０１は、作業者により入力されたコマン
ドに従って動作を行わない。この場合、作業者はハンディターミナル１０１に需要家の検
針データの表示動作、検針動作をさせることができないため、検針員等以外の第三者には
検針データが取得されにくく、データセキュリティを向上させることができる。また検針
員等の作業者により一定時間、ハンディターミナル１０１の操作部２０１に入力がなされ
なかった場合、ハンディターミナル１０１は作業者により入力されたコマンドに従って動
作を行わないためデータセキュリティを向上させることができる。
【００６９】
以上のように本発明を用いれば、作業者により操作されるハンディターミナルが、対応し
た親機と組み合わされたときにのみ、作業者により入力されたコマンドに従い動作を行う
、無線検針システムおよび無線検針用ハンディターミナルを提供することができる。
【図面の簡単な説明】
【００７０】
【図１】本発明による無線検針システムの構成を示す図
【図２】本発明の無線検針システムにかかるハンディターミナルの内部構成を示す図
【図３】本発明の無線検針システムにかかる親機の内部構成を示す図
【図４】本発明の無線検針システムにかかる子機の内部構成を示す図
【図５】本発明の無線検針システムにかかる計量器の内部構成を示す図
【図６】本発明の無線検針システムにかかるハンディターミナルのプログラムを示す図
【符号の説明】
【００７１】
１００    無線検針システム
１０１    ハンディターミナル
１０２    親機
１０３、１０４、１０５、１０６    子機
１０７、１０８、１０９、１１０    計量器
２０１    操作部
２０２    表示部
２０３    無線通信部
２０４    記憶部
２０５    電源
２０６    制御部
３０１    無線通信部
３０２    表示部
３０３    無線通信部
３０４    記憶部
３０５    電源
３０６    制御部
４０１    無線通信部
４０２    表示部
４０３    有線通信部
４０４    記憶部
４０５    電源
４０６    制御部
５０１    有線通信部
５０２    表示部
５０３    検出部
５０４    記憶部
５０５    電源
５０６    制御部
【図１】
2010108417.tif 000003
【図２】
2010108417.tif 000004
【図３】
2010108417.tif 000005
【図４】
2010108417.tif 000006
【図５】
2010108417.tif 000007
【図６】
2010108417.tif 000008